(57)【要約】【課題】  隅部に埃が溜まり難く、また溜まった埃を容易に取り除くことができ、かつ既存のサッシュを利用して容易かつ廉価に製造することのできるサッシュ構造を提供する。【解決手段】  左右水平方向に配置され、上面の端部を除く部分にレール１６を有する下サッシュ材１０と、下サッシュ材の端部から垂直方向に配置された鉛直板２１の前後から、下面が下サッシュ材の端部に当接する長さの少なくとも二つの帯片２２を横設した鉛直サッシュ材２０と、下サッシュ材と、鉛直板および帯片の下端部とで形成される角凹部を密に充填する状態で設けられ、上面が、鉛直板から内方へ下降傾斜し且つ上縁及び下縁を鋭角にした凹円弧状傾斜面としたブロック片３０と、ブロック片に離接する角部を凸円弧状部７としたドア枠６とで構成する。【選択図】      図５
0003141578.tif 000002
【実用新案登録請求の範囲】
【請求項１】
スライドドア（５）を備えたアルミサッシュの構造であって、左右水平方向に配置され，上面の端部を除く部分にレール（１６）を有する下サッシュ材（１０）と、前記下サッシュ材の端部から垂直方向に配置された鉛直板（２１）の前後から，下面が前記下サッシュ材の端部に当接する長さの少なくとも二つの帯片（２２）を設けた鉛直サッシュ材（２０）と、前記下サッシュ材と，鉛直板および隣接する２つの帯片の下端部とで形成される角凹部（Ｄ）を密に充填する状態で設けられ，上面が，前記鉛直板から内方へ下降傾斜し且つ上縁（３０ｃ）及び下縁（３０ｄ）を鋭角にした凹円弧状の傾斜面（３１）としたブロック片（３０）とを備え、且つブロック片に離接するドア枠（６）の角部を凸円弧状部（７）としたことを特徴とするスライドドア付サッシュ構造。
【請求項２】
スライドドアを備えたアルミサッシュの構造であって、左右水平方向に配置され，下取付段（１１），下レール段（１２），中間段（１３），上レール段（１４）および上取付段（１５）を階段状に設け，前記下レール段の上面の端部を除く部分に下レール（１６ａ）を有し，前記上レール段の上面の端部を除く部分に上レール（１６ｂ）を有する下サッシュ材（１０）と、前記下サッシュ材の端部から垂直方向に配置された鉛直板（２１）の前後から，下面が前記下取付段の端部に当接する長さの外帯片（２２ａ）と，下面が前記中間段の端部に当接する長さの中帯片（２２ｂ）と，下面が前記上取付段の端部に当接する長さの内帯片（２２ｃ）とを並列設した鉛直サッシュ材（２０）と、前記下サッシュ材と，前記鉛直板，前記外帯片および前記中帯片の下端部とで形成される第一角凹部（Ｄ１）を密に充填する状態で設けられ，下面が段差面（３２）に形成され，上面が，前記鉛直板から内方へ下降傾斜し且つ上縁（３０ｃ）及び下縁（３０ｄ）を鋭角にした凹円弧状の傾斜面（３１）に形成された第一ブロック片（３０ａ）と、前記下サッシュ材と，前記鉛直板，前記中帯片および前記内帯片の下端部とで形成される第二角凹部（Ｄ２）を密に充填する状態で設けられ，下面が段差面に形成され，上面が，前記鉛直板から内方へ下降傾斜し且つ上縁及び下縁を鋭角にした凹円弧状の傾斜面に形成された第二ブロック片（３０ｂ）とを備え、且つブロック片に離接するドア枠（６）の角部を凸円弧状部（７）に構成し、前記鉛直板と各レール（１６）との距離（Ｓ）を，前記各帯片（２２）の左右方向の突出長さ（Ｈ）より大きく設定し，前記各ブロック片の左右方向の全長（Ｌ）を，前記各帯片の突出長さより短く設定したことを特徴とするスライドドア付サッシュ構造。
【考案の詳細な説明】
【技術分野】
【０００１】
本考案は、スライドドアを備えたアルミサッシュの構造に関するものである。
【背景技術】
【０００２】
本考案に関係する従来技術を、概略構成を共通とする本考案を示す図１および図２を参照して説明する。スライドドアを取付けるために、建物の開口部（窓開口部やドア開口部）３には、その周縁部に沿ってアルミサッシュ９が設けられている。このアルミサッシュ９は、水平方向に配置した下サッシュ材１０と、その端部から直角に配置した鉛直サッシュ材２０を備える。
【０００３】
また、通常、下サッシュ材１０を、屋外側から順に、下取付段１１、下レール段１２、中間段１３、上レール段１４および上取付段１５を階段状に折曲して形成している。そして、下取付段１１に折上片１７を設け、下レール段１２に下レール１６ａを設け、上レール段１４に上レール１６ｂを設けている。さらに、下取付段１１の下面から取付片１８を垂下設している。また、そして、鉛直サッシュ材２０を、鉛直板２１から内方に外帯片２２ａ、中帯片２２ｂおよび内帯片２２ｃを突設し、それらを順に下取付段１１、中間段１３および上取付段１５の上面に配置して形成している。
【０００４】
こうした構成のアルミサッシュにあっては、必然的に、例えば、下レール段１２と鉛直板２１と外帯片２２ａまたは中帯片２２ｂとによって横一面と縦二面の合計三面を囲まれた（あるいは、上レール段１４と鉛直板２１と中帯片２２ｂまたは内帯片２２ｃとによって合計三面を囲まれた）袋小路状の隅部Ｃが形成される。こうした袋小路状の隅部Ｃには、埃が溜まり易く、また、溜まった埃を取り除くのがきわめて厄介であるといった問題がある。
【０００５】
こうした点に考慮して、これまでに、アルミサッシュおよびスライドドアの隅角部の形状を円弧状に形成した技術が創案されている（例えば、特許文献１参照）。
【特許文献１】特開平９−１５８６１９号公報
【考案の開示】
【考案が解決しようとする課題】
【０００６】
しかし、アルミサッシュの隅角部を円弧状に形成するためには、建物を新築する際にそうしたアルミサッシュを設置するか、あるいは、すでに取付けているアルミサッシュを新たなもの（隅角部が円弧状のもの）に取換える必要があり、その取換えは外壁の改修も必要とするので大掛かりな工事と多大な費用を必要とする。また、外壁を改修すると、その改修部分の塗色が外壁の他の部分の塗色と一致し難いため、外壁の見栄えが低下するという問題も発生する。
【０００７】
本考案はこうした問題に鑑み創案されたもので、隅部に埃が溜まり難く、また溜まった埃を容易に取り除くことができ、かつ既存のアルミサッシュを利用して容易かつ廉価に製造することのできるスライドドア付サッシュを提供することを課題とする。
【課題を解決するための手段】
【０００８】
図１乃至図６を参照して説明する。請求項１に記載のサッシュ構造は、スライドドア５を取付けるために、建物の開口部３の周縁部に沿って取付けられるアルミサッシュ９に関するものである。
【０００９】
このアルミサッシュ９は、左右水平方向に配置され、上面の端部を除く部分にレール１６を有する下サッシュ材１０と、前記下サッシュ材１０の端部から垂直方向に配置された鉛直板２１の前後から、下面が前記下サッシュ材１０の端部に当接する長さの少なくとも二つの帯片２２を横設した鉛直サッシュ材２０と、前記下サッシュ材１０と、鉛直板２１および隣接する２つの帯片２２の下端部とで形成される角凹部Ｄを密に充填する状態で設けられ、上面が、前記鉛直板２１から内方へ下降傾斜し且つ上縁３０ｃ及び下縁３０ｄを鋭角にした傾斜面３１としたブロック片３０とを備え、且つブロック片３０に離接するドア枠６の角部を凸円弧状部７に構成したものである。
【００１０】
請求項２に記載のアルミサッシュ構造は、スライドドア５を取付けるために、建物の開口部３の周縁部に沿って取付けられるサッシュ構造である。
【００１１】
アルミサッシュ９は、左右水平方向に配置され、下取付段１１、下レール段１２、中間段１３、上レール段１４および上取付段１５を階段状に設け、前記下レール段１２の上面の端部を除く部分に下レール１６ａを有し、前記上レール段１４の上面の端部を除く部分に上レール１６ｂを有する下サッシュ材１０を備えている。
【００１２】
また、前記下サッシュ材１０の端部から垂直方向に配置された鉛直板２１の前後から、下面が前記下取付段１１の端部に当接する長さの外帯片２２ａと、下面が前記中間段１３の端部に当接する長さの中帯片２２ｂと、下面が前記上取付段１５の端部に当接する長さの内帯片２２ｃとを並列設した鉛直サッシュ材２０を備えている。
【００１３】
また、前記下サッシュ材１０と、前記鉛直板２１、前記外帯片２２ａおよび前記中帯片２２ｂの下端部とで形成される第一角凹部Ｄ１を密に充填する状態で設けられ、下面が段差面３２に形成され、上面が、前記鉛直板２１から内方へ下降傾斜し且つ上縁３０ｃ及び下縁３０ｄを鋭角にした凹円弧状の傾斜面３１に形成された第一ブロック片３０ａを備える。
【００１４】
さらに、前記下サッシュ材１０と、前記鉛直板２１、前記中帯片２２ｂおよび前記内帯片２２ｃの下端部とで形成される第二角凹部Ｄ２を密に充填する状態で設けられ、下面が段差面３２に形成され、上面が、前記鉛直板２１から内方へ下降傾斜し且つ上縁３０ｃ及び下縁３０ｄを鋭角にした凹円弧状の傾斜面３１に形成された第二ブロック片３０ｂとを備え、且つブロック片３０に離接するドア枠６の角部を凸円弧状部７に構成している。
【００１５】
そして、前記鉛直板２１と各レール１６との距離Ｓを、前記各帯片２２の左右方向の突出長さＨより大きく設定し、前記各ブロック片３０の左右方向の全長Ｌを、前記各帯片２２の突出長さＨより短く設定してある。
【考案の効果】
【００１６】
請求項１および請求項２に記載の考案に係るスライドドア付サッシュ構造１は、共に、下サッシュ材１０と、鉛直板２１および帯片２２の下端部とで形成される角凹部Ｄ（Ｄ１，Ｄ２）を、ブロック片３０（３０ａ，３０ｂ）で密に充填する状態で設けたので、下サッシュ材１０と、鉛直板２１および帯片２２の下端部で形成される隅部Ｃを、このブロック片３０で覆うことができる。従って、隅部Ｃに埃が溜まるのを防止することができる。
【００１７】
また、ブロック片３０の上面を、鉛直板２１から内方へ下降傾斜し且つ上縁３０ｃ及び下縁３０ｄを鋭角にした凹円弧状の傾斜面３１としたので、その上面に集まった埃を容易に取り除くことができる。
【００１８】
さらに、このスライドドア付サッシュの構造は、既存のアルミサッシュにブロック片３０を取付けるのみで形成することができるので、外壁Ｗを改修する必要もなく、容易かつ廉価に製造することができる。
【考案を実施するための最良の形態】
【００１９】
本考案に係るスライドドア付サッシュ１の実施形態を、図１乃至図５に示す。これは、二枚のスライドドア５を取付けるために、建物の開口部３の周縁部に沿って取付けられるアルミサッシュ９であり、下サッシュ材１０、一対の鉛直サッシュ材２０、第一ブロック片３０ａ、および第二ブロック片３０ｂを備える。なお、下サッシュ材１０に対向位置して上サッシュ材４０を備える。また、鉛直板２１から外方に、固定片２３を横設している。
【００２０】
下サッシュ材１０は、左右水平方向に配置され、屋外側から順に、下取付段１１、下レール段１２、中間段１３、上レール段１４および上取付段１５を、上昇階段状に折曲げて形成している。また、下レール段１２の上面に、その端部を除く部分にわたって下レール１６ａを立設し、上レール段１４の上面に、その端部を除く部分にわたって上レール１６ｂを立設している。この下レール１６ａと上レール１６ｂにガイドされて、スライドドア５が左右方向に移動する。
【００２１】
鉛直サッシュ材２０は、下サッシュ材１０の端部から垂直方向に配置された鉛直板２１を有し、その鉛直板２１の前後（前部、中間部、および後部）から、下面が、下取付段１１の端部のみに当接する長さの外帯片２２ａと、下面が、中間段１３の端部のみに当接する長さの中帯片２２ｂと、下面が、上取付段１５の端部のみに当接する長さの内帯片２２ｃを横設している。なお、これらの帯片２２（２２ａ，２２ｂ，２２ｃ）は、鉛直板２１の高さ方向の全長にわたって設けている。
【００２２】
第一ブロック片３０ａは、下サッシュ材１０と、鉛直板２１、外帯片２２ａおよび中帯片２２ｂの下端部とで形成される第一角凹部Ｄ１を密に充填する状態で設けられている。従って、その下面は、下レール段１２と下取付段１１の上面に当接するように段差面３２に形成される。また、その上面は、鉛直板２１から内方へ下降傾斜し且つ上縁３０ｃ及び下縁３０ｄを鋭角にした凹円弧状の傾斜面３１に形成している。
【００２３】
第二ブロック片３０ｂは、下サッシュ材１０と、鉛直板２１、中帯片２２ｂおよび内帯片２２ｃの下端部とで形成される第二角凹部Ｄ２を密に充填する状態で設けられており、よって、下面が、上レール段１４と中間段１３の上面に当接するような段差面３２に形成されている。また、上面は、鉛直板２１から内方へ下降傾斜し且つ上縁３０ｃ及び下縁３０ｄを鋭角にした凹円弧状の傾斜面３１に形成されている。
【００２４】
そして、鉛直板２１と各レール１６（１６ａ，１６ｂ）の端面との距離Ｓを、各帯片２２の左右方向の突出長さＨより大きく設定している。また、各ブロック片３０（３０ａ，３０ｂ）の左右方向の全長Ｌを、各帯片２２の突出長さＨより短く設定している。また、下取付段１１の屋外側にはレール１６とほぼ同一形状および同一長さの折上片１７を設けている。
【００２５】
第一ブロック片３０ａおよび第二ブロック片３０ｂは、アルミ、硬質ゴムあるいは合成樹脂等で形成し、それぞれをタッピングスクリューＴによって鉛直板２１に固定している。また、取付片１８、上取付段１５、固定片２３にタッピングスクリューＴを貫通させて、サッシュ構造１を開口部３に固定している。また、ブロック片３０には、タッピングスクリューＴを挿通するための挿通孔３３を形成している。
【００２６】
なお、図５・図６に示す如く、第一ブロック片３０及び第二ブロック片３０の下サッシュ材１０及び鉛直板２１とに、接触する面の鋭角上縁３０ｃ近傍及び鋭角下線３０ｄの近傍を除く部分を両面テープの芯材Ｚの厚さだけ薄肉Ｙに形成し、両面テープを付して固定することも出来る。
【００２７】
本実施形態に係るサッシュ構造１は、下サッシュ材１０と、鉛直板２１、外帯片２２ａおよび中帯片２２ｂの下端部とで形成される第一角凹部Ｄ１を、第一ブロック片３０ａで密に充填する状態で設けているので、下サッシュ材１０と、鉛直板２１、外帯片２２ａおよび中帯片２２ｂの下端部で、本来、形成されてしまう隅部Ｃを、この第一ブロック片３０ａで覆った状態とすることができる。これにより、隅部Ｃに埃が溜まるのを未然に防止することができる。
【００２８】
同様に、第二ブロック片３０ｂを、第二角凹部Ｄ２を充填する状態で設けているので、下サッシュ材１０と、鉛直板２１、中帯片２２ｂおよび内帯片２２ｃの下端部で、本来、形成されてしまう隅部Ｃを、この第二ブロック片３０ｂで覆った状態とすることができ、よって、隅部Ｃに埃が溜まるのを未然に防止することができる。
【００２９】
また、第一ブロック片３０ａおよび第二ブロック片３０ｂの各上面を、鉛直板２１から内方へ下降傾斜する凹円弧状の傾斜面３１としているので、それらの上面に集まった埃を、滑り落とすようにして容易に取り除くことができる。
【００３０】
さらに、このアルミサッシュ構造は、既存のアルミサッシュに第一ブロック片３０ａおよび第二ブロック片３０ｂを取付けるのみで形成することができるので、外壁Ｗを改修することなく、容易かつ廉価に製造することができる。
【００３１】
なお、このスライドドア付サッシュ構造１は、鉛直板２１と各レール１６および折上片１７の端面との距離Ｓを、各帯片２２の左右方向の突出長さＨより大きく設定しているので、各ブロック片３０の上面から滑り落とした埃を、各帯片２２とレール１６および折上片１７との間に形成される隙間から屋外に容易に排出することができる。
【００３２】
また、各ブロック片３０の左右方向の全長Ｌを、各帯片２２の突出長さＨより短く設定しているので、各ブロック片３０は各帯片２２によって覆い隠され、視覚されない。特に、スライドドア５を閉じた状態では、完全に覆い隠される。従って、外観の見栄えにも優れる。
【００３３】
なお、本実施形態では、下サッシュ材１０を階段状に形成したため、第一ブロック片３０ａおよび第二ブロック片３０ｂの下面を、それに対応した段差面３２としているが、下サッシュ材１０が平坦面である場合は、図６に示すように、第一ブロック片３０ａおよび第二ブロック片３０ｂの下面は、それに対応した平坦面とする。
【００３４】
また、アルミサッシュ９に取付けるスライドドア５のドア枠６は、図１の符号Ｂで示す部分の如く、その左右下端部を凸円弧状部７としたものを使用して、ブロック片３０の凹円弧状の傾斜面３１に密接させるものである。
【００３５】
なお、ブロック片３０の上縁３０ｃおよび下縁３０ｄを鋭角に設定することによって、その上縁３０ｃと下縁３０ｄの近傍に埃が溜まるのを防止することができると共に、アルミサッシュ９の左右下端部が段差のない円滑な凹円弧状になっている。そして、それに対応して離接するスライドドア５のドア枠６の左右下端部も段差のない円滑な凸円弧状部７なので、両者の左右下端部を容易かつ確実に密接させることができる。
【図面の簡単な説明】
【００３６】
【図１】本考案の実施形態に係るスライドドアを備えたアルミサッシュの構造およびそれに取付けたスライドドアを示す正面図である。
【図２】図１のＡ部を示す拡大斜視図である。
【図３】図２の平面図である。
【図４】図３のＸ−Ｘ線断面図である。
【図５】本考案の実施形態に係るアルミサッシュ構造のブロック片を示すもので、（ａ）は正面図、（ｂ）は側面図である。
【図６】本考案に係るブロック片の他の実施形態を示すもので、（ａ）は正面図、（ｂ）は側面図である。
【符号の説明】
【００３７】
１          スライドドア付サッシュ
３          開口部
５          スライドドア
６          ドア枠
７          凸円弧状部
９          アルミサッシュ
１０        下サッシュ材
１１        下取付段
１２        下レール段
１３        中間段
１４        上レール段
１５        上取付段
１６        レール
１６ａ      下レール
１６ｂ      上レール
１７        折上片
１８        材取付片
２０        鉛直サッシュ材
２１        鉛直板
２２        帯片
２２ａ      外帯片
２２ｂ      中帯片
２２ｃ      内帯片
２３        固定片
３０        ブロック片
３０ａ      第一ブロック片
３０ｂ      第二ブロック片
３０ｃ      鋭角上縁
３０ｄ      鋭角下縁
３１        傾斜面
３２        段差面
３３        挿通孔
４０        上サッシュ材
Ｃ          隅部
Ｄ          角凹部
Ｄ１        第一角凹部
Ｄ２        第二角凹部
Ｈ          帯片の突出長さ
Ｌ          ブロック片の全長
Ｓ          距離
Ｔ          タッピングスクリュー
Ｗ          外壁
Ｙ          薄肉
Ｚ          両面テープの芯材
【図１】
0003141578.tif 000003
【図２】
0003141578.tif 000004
【図３】
0003141578.tif 000005
【図４】
0003141578.tif 000006
【図５】
0003141578.tif 000007
【図６】
0003141578.tif 000008